(57)【要約】【課題】ミラー回動後の動作を迅速に開始する。【解決手段】撮像装置であって、平面上の複数の受光領域で測光する測光部と、被写体光を測光部へ導く測光位置と、被写体光を撮像素子へ導く撮像位置との間を、回動中心まわりに回動するミラー部材と、測光部を制御する測光制御部とを備え、測光制御部は、ミラー部材が撮像位置から測光位置に回動した場合に、複数の受光領域のうち、ミラー部材の回動中心に近い位置で反射した被写体光に対応する受光領域での測光を、遠い位置で反射した被写体光に対応する受光領域での測光よりも先に開始する。【選択図】図５
2012053265.tif 000002
【特許請求の範囲】
【請求項１】
平面上の複数の受光領域で測光する測光部と、
被写体光を前記測光部へ導く測光位置と、前記被写体光を撮像素子へ導く撮像位置との間を、回動中心まわりに回動するミラー部材と、
前記測光部を制御する測光制御部と
を備え、
前記測光制御部は、前記ミラー部材が前記撮像位置から前記測光位置に回動した場合に、前記複数の受光領域のうち、前記ミラー部材の回動中心に近い位置で反射した被写体光に対応する受光領域での測光を、遠い位置で反射した被写体光に対応する受光領域での測光よりも先に開始する撮像装置。
【請求項２】
前記測光制御部は、前記ミラー部材が前記撮像位置から前記測光位置に回動した場合に、前記複数の受光領域のうち、前記ミラー部材の回動中心に沿った方向における中央に近い位置で反射した被写体光に対応する受光領域での測光を、遠い位置で反射した被写体光に対応する受光領域での測光よりも先に開始する請求項１に記載の撮像装置。
【請求項３】
前記ミラー部材で反射した被写体光に画像を重畳して表示する重畳表示部をさらに備え、
前記重畳表示部は、前記測光制御部による前記測光部の測光の後に、前記画像を重畳して表示する請求項１または２に記載の撮像装置。
【請求項４】
前記重畳表示部は、前記複数の受光領域のうち、前記ミラー部材の回動中心に近い位置で反射した被写体光への前記画像の重畳は、前記測光制御部による前記測光部の測光後に行い、遠い位置で反射した被写体光への前記画像の重畳は、前記測光制御部による前記測光部の測光に先立って行う請求項３に記載の撮像装置。
【請求項５】
連写モードが設定されている場合に、
初回の撮像動作について、前記測光制御部は、前記ミラー部材の回動中心に近い位置で反射した被写体光に対応する受光領域での測光の結果と、遠い位置で反射した被写体光に対応する受光領域での測光の結果との差分を算出し、
２回目以降の撮像動作について、前記測光制御部は、前記複数の受光領域のうち、前記ミラー部材の回動中心に近い位置で反射した被写体光に対応する受光領域での測光の結果を前記差分に基づいて補正して、前記補正の結果を、前記ミラー部材の回動中心から遠い位置で反射した被写体光に対応する受光領域での測光に代えて用いる請求項１から４のいずれかに記載の撮像装置。
【請求項６】
複数の受光領域で測光する測光部と、被写体光を前記測光部へ導く測光位置と、前記被写体光を撮像素子へ導く撮像位置との間を、回動中心まわりに回動するミラー部材とを備えた撮像装置に、
前記ミラー部材が前記撮像位置から前記測光位置に回動した場合に、前記複数の受光領域のうち、前記ミラー部材の回動中心に近い位置で反射した被写体光に対応する受光領域での測光を、遠い位置で反射した被写体光に対応する受光領域での測光よりも先に開始させる測光手順を実行させるプログラム。
【発明の詳細な説明】
【技術分野】
【０００１】
本発明は撮像装置に関する。
【背景技術】
【０００２】
揺動するミラーを備えた撮像装置では、揺動による振動が収まった後に次の撮像動作が開始される。そこで、次の撮像動作を迅速に開始する目的で、撮像装置の撮像モードに応じて異なる再開タイミングを設定することが提案されている（特許文献１参照）。
［先行技術文献］
［特許文献］
［特許文献１］特開平１１−０１５０３９号公報
【発明の概要】
【発明が解決しようとする課題】
【０００３】
しかしながら、撮像動作を再開する場合にミラーの振動収束を待つことに変わりはなく、撮像動作再開を更に迅速化するには、ミラーの振動を抑制する複雑な機構の導入等が検討されている。
【課題を解決するための手段】
【０００４】
上記課題を解決すべく、本発明の第一態様として、平面上の複数の受光領域で測光する測光部と、被写体光を測光部へ導く測光位置と、被写体光を撮像素子へ導く撮像位置との間を、回動中心まわりに回動するミラー部材と、測光部を制御する測光制御部とを備え、測光制御部は、ミラー部材が撮像位置から測光位置に回動した場合に、複数の受光領域のうち、ミラー部材の回動中心に近い位置で反射した被写体光に対応する受光領域での測光を、遠い位置で反射した被写体光に対応する受光領域での測光よりも先に開始する撮像装置が提供される。
【０００５】
また、本発明の第二態様として、複数の受光領域で測光する測光部と、被写体光を測光部へ導く測光位置と、被写体光を撮像素子へ導く撮像位置との間を、回動中心まわりに回動するミラー部材とを備えた撮像装置に、ミラー部材が撮像位置から測光位置に回動した場合に、複数の受光領域のうち、ミラー部材の回動中心に近い位置で反射した被写体光に対応する受光領域での測光を、遠い位置で反射した被写体光に対応する受光領域での測光よりも先に開始させる測光手順を実行させるプログラムが提供される。
【０００６】
上記の発明の概要は、本発明の必要な特徴の全てを列挙したものではない。これら特徴群のサブコンビネーションもまた発明となり得る。
【図面の簡単な説明】
【０００７】
【図１】一眼レフカメラ１００の構造を模式的に示す断面図である。
【図２】内部回路５００を模式的に示すブロック図である。
【図３】受光領域３９９の配置を模式的に示す図である。
【図４】被写体光束の光路を模式的に示す図である。
【図５】測光制御部５１２の制御タイミングを示す図である。
【図６】ファインダ３５０で観察されるファインダ像の模式図である。
【図７】光源制御部５１４の制御タイミングを示す図である。
【図８】測光制御部５１２の制御手順を示す流れ図である。
【発明を実施するための形態】
【０００８】
以下、発明の実施の形態を通じて本発明を説明するが、以下の実施形態は特許請求の範囲に係る発明を限定するものではない。また、実施形態の中で説明されている特徴の組み合わせの全てが発明の解決手段に必須であるとは限らない。
【０００９】
図１は、一眼レフカメラ１００の模式的断面図である。一眼レフカメラ１００は、レンズユニット２００およびカメラ本体３００を備える。
【００１０】
レンズユニット２００は、固定筒２１０、複数のレンズ２２０、２３０、２４０、レンズマウント２５０および鏡筒ＣＰＵ２６０を有する。固定筒２１０の一端は、レンズマウント２５０を介してカメラ本体３００のボディマウント３６０に結合される。
【００１１】
レンズマウント２５０およびボディマウント３６０の結合は特定の操作により解除できる。これにより、カメラ本体３００には、同じ規格のレンズマウント２５０を有する他のレンズユニット２００を装着できる。
【００１２】
レンズユニット２００において、カメラ本体３００から遠くに位置するレンズ２２０は、固定筒２１０から直接に支持される。これに対して、他のレンズ２３０、２４０は、固定筒２１０対して光軸ＯＡ方向に移動する。これにより、レンズユニット２００の光学系は変倍または合焦する。
【００１３】
例えば、レンズ２３０は、レンズユニット２００の倍率を変化させる場合に移動するズームレンズのひとつとなる。また、レンズ２４０は、レンズユニット２００の焦点位置を変化させる場合に移動するフォーカシングレンズのひとつとなる。
【００１４】
鏡筒ＣＰＵ２６０は、レンズユニット２００の動作を制御すると共に、カメラ本体３００との通信も担う。これにより、レンズユニット２００がカメラ本体３００に装着された場合に、カメラ本体３００と連携して動作する。
【００１５】
カメラ本体３００は、レンズユニット２００に対してボディマウント３６０の背後に配されたミラーユニット４００を備える。ミラーユニット４００の下方には合焦光学系３８０が配される。また、ミラーユニット４００の上方にはフォーカシングスクリーン３５２および光学素子板３５９が配される。
【００１６】
フォーカシングスクリーン３５２および光学素子板３５９の更に上方にはペンタプリズム３５４が、ペンタプリズム３５４の後方にはファインダ光学系３５６および測光部３９０が配される。ファインダ光学系３５６の後端は、カメラ本体３００の背面に露出してファインダ３５０を形成する。
【００１７】
ミラーユニット４００の後方には、フォーカルプレンシャッタ３７０、ローパスフィルタ３３２および撮像素子３３０が順次配される。撮像素子３３０の更に背後には、主基板３２０および表示部３４０が順次配される。主基板３２０には、本体ＣＰＵ３２２、画像処理部３２４等が実装される。表示部３４０は、例えば、液晶表示板等を用いて形成され、カメラ本体３００の背面に露出する。
【００１８】
ミラーユニット４００は、メインミラー４２０およびサブミラー４６０を有する。メインミラー４２０は、メインミラー保持枠４１０に支持される。メインミラー保持枠４１０の一端は、メインミラー回動軸４３０により軸支される。
【００１９】
メインミラー保持枠４１０の前端が回動により降下した場合、メインミラー保持枠４１０は、前端付近で位置決めピン４４０に当接して停止する。これにより、メインミラー４２０は、レンズユニット２００から入射した被写体光束に対して正確に４５度をなす位置に停止する。こうして、メインミラー４２０は、レンズユニット２００から入射した被写体光束上に斜めに配される斜設位置に止まる。
【００２０】
また、メインミラー保持枠４１０の前端が上昇した場合、メインミラー保持枠４１０は、前端付近でストッパ４８０に当接して停止する。これにより、メインミラー４２０は、被写体光束の光路から退避した退避位置に止まる。
【００２１】
サブミラー４６０は、サブミラー保持枠４５０により保持される。サブミラー保持枠４５０の一端は、サブミラー回動軸４７０により、メインミラー保持枠４１０から軸支される。よって、サブミラー４６０は、メインミラー保持枠４１０に対して回動する。メインミラー保持枠４１０が回動する場合、サブミラー４６０およびサブミラー保持枠４５０もメインミラー保持枠４１０と共に移動する。
【００２２】
斜設位置において、メインミラー４２０は、レンズユニット２００を通じて入射した被写体光束を反射してフォーカシングスクリーン３５２に導く。フォーカシングスクリーン３５２は、レンズユニット２００の光学系が合焦した場合に被写体光が被写体像を結ぶ位置に配されて当該被写体像を可視化する。
【００２３】
フォーカシングスクリーン３５２に結像された被写体像は、ペンタプリズム３５４およびファインダ光学系３５６を通じてファインダ３５０から観察される。ここで、被写体光がペンタプリズム３５４を通ることにより、フォーカシングスクリーン３５２上の被写体像は、ファインダ３５０から正立正像として観察できる。
【００２４】
光学素子板３５９は透明な材料により形成されるが、部分的に光学的特性が異なる領域を有する。当該領域は、光学素子板３５９の側方に配されたスーパインポーズ光源３５８から照明光を照射された場合に輝線図形を生じる。生じた輝線図形はフォーカシングスクリーン３５２に形成された被写体像に重畳されて、スーパインポーズ画像としてファインダ３５０から観察される。このように、スーパインポーズ光源３５８および光学素子板３５９は、スーパインポーズ画像を生じる重畳表示部を形成する。
【００２５】
測光部３９０は、ペンタプリズム３５４において分岐されさた被写体光束の一部を受光する。測光部３９０は、受光した被写体光束の一部から被写体の明るさを検出して、本体ＣＰＵ３２２に露光条件を算出させる。また、受光した被写体光束の一部を三原色毎に測光して、オートホワイトバランスの算出に与する。よって、メインミラー４２０の斜設位置は、測光位置であるともいえる。
【００２６】
また、メインミラー４２０は、入射した被写体光束の一部を透過するハーフミラー領域を有する。サブミラー４６０は、ハーフミラー領域から入射した被写体光束の一部を、合焦光学系３８０に向かって反射する。合焦光学系３８０は、入射した被写体光束の一部を焦点検出素子３８２に導く。これにより、カメラ本体３００は、レンズユニット２００を合焦させるレンズ２３０の目標位置を決定できる。
【００２７】
上記のような一眼レフカメラ１００が待機状態の場合は、メインミラー４２０は斜設位置にある。よって、レリーズボタンが半押しされると、焦点検出素子３８２および測光部３９０が有効になり、被写体像を適切な撮影条件で撮影できる状態になる。
【００２８】
次いで、レリーズボタンが全押しされると、メインミラー４２０およびサブミラー４６０が退避位置に移動して、フォーカルプレンシャッタ３７０が開く。よって、レンズユニット２００の光学系から入射した被写体光束は、ローパスフィルタ３３２を通過して撮像素子３３０に入射する。これにより、撮像素子３３０の受光面に被写体像が形成される。撮像素子３３０は、ＣＣＤセンサ（Ｃｈａｒｇｅ  Ｃｏｕｐｌｅｄ  Ｄｅｖｉｃｅ）、ＣＭＯＳセンサ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの光電変換素子により形成され、被写体像を電気信号に変換する。
【００２９】
図２は、一眼レフカメラ１００の内部回路５００を模式的に示すブロック図である。内部回路５００は、本体ＣＰＵ３２２に対して直接または間接に接続された要素により形成される。これにより、本体ＣＰＵ３２２は、一眼レフカメラ１００全体を包括的に制御する。
【００３０】
本体ＣＰＵ３２２には、プログラムメモリ５２０およびメインメモリ５３０が接続される。プログラムメモリ５２０は、不揮発性記録媒体および読出専用記録媒体の少なくとも一方を含み、本体ＣＰＵ３２２が実行するファームウエア等を格納する。メインメモリ５３０はＲＡＭを含み、本体ＣＰＵ３２２の作業領域として使用される。
【００３１】
本体ＣＰＵ３２２は、プログラムメモリ５２０から読み出したファームウエアにより、一眼レフカメラ１００全体の動作を制御する。また、プログラムメモリ５２０から読み出した付加的なファームウエアにより、測光制御部５１２、光源制御部５１４等を形成する。測光制御部５１２は、測光部３９０に係る動作を制御する。光源制御部５１４は、スーパインポーズ光源３５８に係る動作を制御する。
【００３２】
また、本体ＣＰＵ３２２には撮像部５４０が接続される。撮像部５４０は、撮像素子３３０、撮像素子駆動部５４２、アナログ／デジタル変換部５４４および画像処理部３２４を含む。撮像素子３３０は、撮像素子駆動部５４２に特定のタイミングで駆動され、被写体像を光電変換して画像信号を出力する。
【００３３】
撮像素子３３０から出力された画像信号は、アナログ／デジタル変換部５４４により離散化され、画像処理部３２４において画像データに変換される。画像処理部３２４は、画像データを生成する過程で、画像のホワイトバランス、シャープネス、ガンマ、階調補正、圧縮等を調整する。
【００３４】
画像処理部３２４において生成された画像データは、二次記録媒体５５０に格納して保存される。二次記録媒体５５０としては、フラッシュメモリカード等の不揮発性記憶素子を備えた媒体が使用される。なお、二次記録媒体５５０の少なくとも一部は、カメラ本体３００から着脱して交換できる。
【００３５】
また更に、本体ＣＰＵ３２２には、焦点検出素子３８２および測光部３９０が接続される。焦点検出素子３８２は、レンズユニット２００の光学系が形成した被写体像から合焦位置を検出し、当該合焦位置に合焦すべく、レンズユニット２００に指示を発信する。
【００３６】
測光部３９０は、レンズユニット２００を通じてカメラ本体３００に入射した被写体光束の一部を受光して、被写体輝度を検出する。これにより、本体ＣＰＵ３２２は、撮像素子３３０の感度、シャッタ速度、絞り開度、補助照明の有無等の撮影条件を算出し、一眼レフカメラ１００の各部に指示を発信する。
【００３７】
また更に、本体ＣＰＵ３２２には、入力部５６０および表示駆動部５７０が接続される。入力部５６０は、カメラ本体３００の主に表面に配されたレリーズボタン、ダイアル、十字キー、押しボタン等の操作部５６２からの入力を受け付け、入力された指示、設定値等を保持する。本体ＣＰＵ３２２は、入力部５６０を参照して、撮影条件を算出する場合に前提条件となる設定値を獲得する。
【００３８】
表示駆動部５７０は、表示部３４０に表示する画像を生成して表示部３４０に表示する。表示部３４０は、一眼レフカメラ１００が再生モードで動作している場合に、二次記録媒体５５０から読み出した撮影画像を表示する。また、表示部３４０は、一眼レフカメラ１００が撮影モードで動作している場合に、シャッタ速度、絞り値、撮像素子感度、露出補正等、設定されている設定値を表示する。
【００３９】
更に、表示部３４０は、一眼レフカメラ１００がライブビューモードで動作する場合に、撮像素子３３０から得られたスルー画を表示する。この場合、表示部３４０はファインダとして使用される。また、ライブビューモードにおいても、スルー画に重ねて、あるいは、画面上の一部領域を分割して、撮影条件を併せて表示する場合もある。
【００４０】
また更に、表示部３４０は、操作部５６２および入力部５６０と連携して、一眼レフカメラ１００に種々の設定をするモード選択部を形成する。即ち、モード選択部においては、表示部３４０に表示された複数の選択肢のいずれかを、操作部５６２を操作することにより特定して、特定した選択肢に対応する設定値を入力部５６０が保持することにより、一眼レフカメラ１００に選択されたモードが設定される。
【００４１】
図３は、一眼レフカメラ１００の被写界における受光領域３９９の配置を模式的に示す図である。図示のように、測光部３９０は、ペンタプリズムから受光する被写体像全体の内に複数の受光領域３９９を有する。複数の受光領域３９９は、複数が同時に有効になる場合と、選択されたいずれかの受光領域が有効になる場合とがある。
【００４２】
なお、説明を簡潔にする目的で、図中には各々が３個の受光領域３９９を有する第一受光領域群３９１、第二受光領域群３９２および第三受光領域群３９３を描いた。しかしながら、測光部３９０における受光領域３９９の数は、数個から数百個に及び、千個を越える場合もある。また、受光領域３９９の個々の形状は矩形には限られない。更に、一部の受光領域３９９の形状が、他の受光領域の形状と異なる場合もある。
【００４３】
図４は、受光領域３９９に入射する被写体光束の光路を模式的に示す図である。なお、図を簡潔にする目的で、受光領域３９９は、フォーカシングスクリーン３５２上の対応する領域により示す。
【００４４】
レンズユニット２００に入射して被写体２０１の像を結ぶ被写体光束は、斜設位置にあるメインミラー４２０により反射され、フォーカシングスクリーン３５２に被写体像を形成する。よって、被写体２０１上部の像は、メインミラー４２０においてメインミラー回動軸４３０から遠い側、即ち、メインミラー４２０先端において反射された被写体光束により形成される。同様に、被写体２０１の下部の像は、メインミラー４２０においてメインミラー回動軸４３０に近い側、即ち、メインミラー４２０後端において反射された被写体光束により形成される。
【００４５】
これにより、測光部３９０の複数の受光領域３９９において、被写体像の上部に対応する第三受光領域群３９３はメインミラー４２０先端により反射された被写体光束を受光することが判る。また、測光部３９０の複数の受光領域３９９において、被写体像の下部に対応する第一受光領域群３９１はメインミラー４２０後端により反射された被写体光束を受光することが判る。
【００４６】
ところで、退避位置にあるメインミラー４２０が斜設位置に変位する場合、メインミラー保持枠４１０は、メインミラー回動軸４３０の回りを回動して、位置決めピン４４０に衝突する。位置決めピン４４０に衝突したメインミラー保持枠４１０は、衝突の反動で不可避にバウンドを生じる。
【００４７】
このとき、メインミラー保持枠４１０のうち、メインミラー回動軸４３０に近い部分は、回動およびバウンドのストロークＳ１が短い。一方、メインミラー保持枠４１０のうち、メインミラー回動軸４３０から遠い部分は、回動およびバウンドのストロークＳ２が長い。このため、メインミラー４２０の回動およびバウンドにより生じる被写体像のブレも、メインミラー４２０先端では大きく、メインミラー４２０後端では小さくなる。
【００４８】
図５は、測光制御部５１２による測光部３９０の制御タイミングを示す図である。一眼レフカメラ１００が撮像動作を実行する毎に、メインミラー４２０は、いったん上昇し、また降下する。降下したメインミラー４２０は、位置決めピン４４０に衝突してバウンドを生じるが、やがてバウンドは減衰して、メインミラー４２０は、斜設位置に止まる。本体ＣＰＵ３２２は、メインミラー４２０の降下を契機として、測光制御部５１２に測光部３９０の制御を開始させるシーケンススイッチをタイミングＳにハイレベルに遷移させる。
【００４９】
ただし、降下したメインミラー４２０が位置決めピン４４０に対してバウンドしている間は、メインミラー４２０により反射された被写体像がぶれているので、測光しても適切な測光結果は得られない。そこで、測光制御部５１２は、メインミラー４２０が降下して位置決めピン４４０に衝突してからバウンドが予め定めた範囲内のストロークまで減衰する時間に相当する遅延時間Ｄを設定し、当該遅延時間をカウントした後に測光部３９０に測光を開始させる。
【００５０】
更に、既に説明した通り、第一受光領域群３９１においては、メインミラー４２０の回動およびバウンドにより生じるブレの振幅が小さい。よって、測光制御部５１２は、第一受光領域群３９１に対しては短い遅延時間Ｄ１を設定して、測光を早期に開始させる。また、測光制御部５１２は、第二受光領域群３９２および第三受光領域群３９３については、より長い遅延時間Ｄ２、Ｄ３を設定して、ブレの影響が無視できるレベルになるまで測光開始を遅延させる。なお、設定する遅延時間Ｄ１、Ｄ２、Ｄ３は、実験または実測により決定された値を格納して参照すればよい。
【００５１】
このような制御により、第三受光領域群３９３が指定された場合以外は、測光に纏わる処理を早期に開始し、早期に完了できる。よって、メインミラー４２０が降下した後の撮像動作を早期に開始できる。また、連写モードにおける撮影間隔を短縮できる。
【００５２】
なお、メインミラー回動軸４３０の軸方向について考えた場合も、メインミラー４２０の軸方向の中心は位置をメインミラー４２０の位置決め調整をする場合の中心になる。よって、受光領域群のそれぞれにおいては、中央の領域は他の領域に比較すると位置決めに関して安定している。
【００５３】
そこで、測光制御部５１２は、例えば第一受光領域群３９１について、メインミラー４２０の回動中心に沿った方向における中央に近い位置で反射した被写体像に対応する受光領域Ｂでの測光を、遠い位置で反射した被写体像に対応する受光領域Ａ、Ｃでの測光よりも先に開始してもよい。同様に、測光制御部５１２は、第二受光領域群３９２については受光領域Ｑによる測光を、第三受光領域群３９３については受光領域Ｙによる測光を、それぞれ、他の受光領域Ｐ、Ｒ、Ｘ、Ｚよりも早期に開始してよい。これにより、測光制御部５１２は測光を一層早期に開始できる。
【００５４】
図６は、ファインダ３５０で観察されるファインダ像の模式図である。メインミラー４２０が斜設位置にある場合は、レンズユニット２００から入射した被写体光束が撮像素子３３０に形成する被写体像と略同じファイダ像をファインダから観察される。また、ファインダ像には、光学素子板３５９において形成されたスーパインポーズ画像が重畳される。
【００５５】
図示の例では、複数の測距領域枠３５１がファインダ像に重畳されている。更に、ファインダ像の中央には、選択領域表示３５３が発光する輝線として表示されている。このような輝線図形による表示は、例えば、複数の測距領域枠３５１が示す合焦領域のうち、ユーザが選択した合焦領域を示す。また、本体ＣＰＵ３２２が自動的に選択して合焦した領域をユーザに伝える場合にも、輝線図形による表示が用いられる。
【００５６】
ただし、スーパインポーズ光源３５８による照明光が測光部３９０に受光されると、測光部３９０による被写体の測光結果が影響を受ける場合がある。そこで、光源制御部５１４は、測光部３９０が測光している期間は、スーパインポーズ光源３５８の発光を停止する。
【００５７】
図７は、光源制御部５１４の制御タイミングを示す図である。既に説明した通り、一眼レフカメラ１００が撮像動作を実行する毎に、降下したメインミラー４２０は、位置決めピン４４０に衝突してバウンドを生じるが、やがてバウンドは減衰してメインミラー４２０は規定の斜設位置に止まる。
【００５８】
測光制御部５１２は、シーケンススイッチがハイレベルに遷移したことを契機として測光部３９０の制御を開始する。また、この形態では、スーパインポーズ光源３５８の点灯および消灯のタイミングも制御する。
【００５９】
即ち、測光制御部５１２は、予め設定した短い遅延時間Ｄ１の後に、第一受光領域群３９１における測光を早期に開始させる。また、測光制御部５１２は、第二受光領域群３９２および第三受光領域群３９３についても、第一受光領域群３９１に対する遅延時間Ｄ１よりも長い遅延時間Ｄ２、Ｄ３の後に測光を開始させる。
【００６０】
ここで、測光が早期に開始される第一受光領域群３９１に選択領域表示３５３がある場合、光源制御部５１４は、測光部３９０による測光が完了した後に、スーパインポーズ光源３５８を点灯させる。これにより、測光部３９０は、スーパインポーズ光源３５８の照明光の影響を受けることなく測光を完了できる。
【００６１】
一方、測光の開始が遅延される第三受光領域群３９３に選択領域表示３５３がある場合、光源制御部５１４は、測光部３９０による測光が開始される前にスーパインポーズ光源３５８を点灯させ、更に、測光が開始される前に消灯させる。これにより、測光部３９０は、スーパインポーズ光源３５８の照明光の影響を受けることなく測光できる。
【００６２】
このように、メインミラー４２０の回動中心に近い位置で反射した被写体像へは、測光制御部５１２が測光部３９０に測光をさせた後にスーパインポーズ画像を重畳する。また、メインミラー４２０の回動中心から遠い位置で反射した被写体像へは、測光制御部による測光部の測光に先立って、スーパインポーズ画像を被写体像に重畳する。これにより、スーパインポーズ画像の表示を含む撮像動作期間Ｔを短縮できる。
【００６３】
なお、スーパインポーズ光源３５８により輝線図形化される選択領域表示３５３は、例えば、複数の測距領域枠３５１のうちのいずれかひとつである場合が多い。よって、測光部３９０による測光のタイミングと選択領域表示３５３のタイミングが前後しても、ユーザに認知されることはない。
【００６４】
図８は、測光制御部５１２の制御手順の一部を示す流れ図である。一眼レフカメラ１００が撮影動作を開始する場合、測光制御部５１２は、まず、当該撮影動作が連写モードで実行されるのか否かを調べる（ステップＳ１０１）。
【００６５】
一眼レフカメラ１００が連写モードではない場合（ステップＳ１０１：ＮＯ）、測光制御部５１２は、レリーズボタンの半押しを契機として、測光部３９０に、指定された受光領域３９９で被写体を測光させる（ステップＳ１０２）。続いて、測光制御部５１２は、測光結果を本体ＣＰＵ３２２に渡して撮影条件を算出させる（ステップＳ１０３）。
【００６６】
次に、測光制御部５１２は、本体ＣＰＵ３２２が測光結果に基づいて算出した撮影条件に従って撮影が実行されたことを確認する（ステップＳ１０４）。こうして撮影が実行されると、測光制御部５１２は制御を終了し、次の撮影に備えて待機する。
【００６７】
ステップＳ１０１において、一眼レフカメラ１００が連写モードに設定されていた場合（ステップＳ１０１：ＹＥＳ）は、測光制御部５１２は、レリーズボタンの半押しを契機として、連写一枚目について、指定された受光領域３９９における測光を、当該受光領域３９９に設定された遅延時間の後に開始する（ステップＳ１０５）。
【００６８】
ここで、有効な受光領域３９９として、すべての受光領域３９９が指定される場合もある。そのような場合は、最も長い遅延時間Ｄ３が経過した後にステップＳ１０３が実行される。
【００６９】
一方、ステップＳ１０２において指定された受光領域３９９が、第三受光領域群３９３を含まない場合は、上記の場合よりも測光が早期に完了する。よって、測光制御部５１２による制御がステップＳ１０３に移るタイミングも早くなる。
【００７０】
次に、測光制御部５１２は、第一受光領域群３９１において選択された受光領域３９９に対応する受光領域３９９により被写体を測光する（ステップＳ１０６）。即ち、再び図３を参照すると、領域ＸまたはＰが選択されている場合は、第一受光領域群３９１から領域Ａにより被写体を測光する。領域ＹまたはＱが選択されている場合は、第一受光領域群３９１から領域Ｂにより被写体を測光する。同様に、領域ＺまたはＲが選択されている場合は、第一受光領域群３９１から領域Ｃにより被写体を測光する。
【００７１】
更に、測光制御部５１２は、ステップＳ１０６における測光結果と、ステップＳ１０５における測光結果との差分を算出する（ステップＳ１０７）。なお、ここでいう差分とは、選択された受光領域３９９の測光結果と、第一受光領域群３９１の対応する受光領域３９９の測光結果との相関を反映したものであれば、減算により算出される差に限らない。
【００７２】
次に、測光制御部５１２は、ステップＳ１０５における測光結果を本体ＣＰＵ３２２に渡し撮影条件を算出させる（ステップＳ１０９）。更に、測光制御部５１２は、測光結果に基づいた撮影条件で、一眼レフカメラ１００が撮影を実行したことを確認する（ステップＳ１０９）。
【００７３】
次に、測光制御部５１２は、連写モードにおける２枚目以降の撮影を開始する。ここで、測光制御部５１２は、ステップＳ１０６において測光した受光領域３９９を用いて被写体を測光する（ステップＳ１１０）。続いて、測光制御部５１２は、ステップＳ１０７において算出した差分に基づき、ステップＳ１１０の測光結果から、指定された受光領域３９９における測光結果を算出する（ＣＰＵ１１１）。
【００７４】
次に、測光制御部５１２は、ステップＳ１１１における測光結果を本体ＣＰＵ３２２に渡して撮影条件を算出させる（ステップＳ１１２）。更に、測光制御部５１２は、当該測光結果に基づいた撮影条件で、一眼レフカメラ１００が撮影を実行したことを確認する（ステップＳ１１３）。
【００７５】
上記のような動作により、ステップＳ１１０における測光は、最も短い遅延時間Ｄ１の後に開始して早期に完了できる。よって、連写中の測光にかかる時間を短縮して、連写速度を向上させることができる。
【００７６】
ステップＳ１１３において撮影の実行が確認されると、測光制御部５１２は、一眼レフカメラ１００のレリーズボタンが開放されたか否かを調べる（ステップＳ１１４）。レリーズボタンが依然として押し下げられている場合（ステップＳ１１４：ＮＯ）、測光制御部５１２は、ステップＳ１１０からステップＳ１１４までの手順を繰り返す。一方、レリーズボタンが開放された場合（ステップＳ１１４：ＹＥＳ）、測光制御部５１２は、制御を終了し、次の撮影に備えて待機する。
【００７７】
上記のような一連の制御手順は、カメラ本体３００に予め実装してもよいし、磁気媒体、光学媒体、通信回線等を通じて提供し、カメラ本体３００に読み込ませて利用してもよい。更に、カメラ本体３００の動作を外部から制御するリモートコントローラ、パーソナルコンピュータ等に実装してもよい。
【００７８】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【符号の説明】
【００７９】
１００  一眼レフカメラ、２００  レンズユニット、２０１  被写体、２１０  固定筒、２２０、２３０、２４０  レンズ、２５０  レンズマウント、２６０  鏡筒ＣＰＵ、３００  カメラ本体、３２０  主基板、３２２  本体ＣＰＵ、３２４  画像処理部、３３０  撮像素子、３３２  ローパスフィルタ、３４０  表示部、３５０  ファインダ、３５１  測距領域枠、３５２  フォーカシングスクリーン、３５３  選択領域表示、３５４  ペンタプリズム、３５６  ファインダ光学系、３５８  スーパインポーズ光源、３５９  光学素子板、３６０  ボディマウント、３７０  フォーカルプレンシャッタ、３８０  合焦光学系、３８２  焦点検出素子、３９０  測光部、３９１  第一受光領域群、３９２  第二受光領域群、３９３  第三受光領域群、３９９  受光領域、４００  ミラーユニット、４１０  メインミラー保持枠、４２０  メインミラー、４３０  メインミラー回動軸、４４０  位置決めピン、４５０  サブミラー保持枠、４６０  サブミラー、４７０  サブミラー回動軸、４８０  ストッパ、５００  内部回路、５１２  測光制御部、５１４  光源制御部、５２０  プログラムメモリ、５３０  メインメモリ、５４０  撮像部、５４２  撮像素子駆動部、５４４  アナログ／デジタル変換部、５５０  二次記録媒体、５６０  入力部、５６２  操作部、５７０  表示駆動部
【図１】
2012053265.tif 000003
【図２】
2012053265.tif 000004
【図３】
2012053265.tif 000005
【図４】
2012053265.tif 000006
【図５】
2012053265.tif 000007
【図６】
2012053265.tif 000008
【図７】
2012053265.tif 000009
【図８】
2012053265.tif 000010